(57)【特許請求の範囲】
【請求項１】
被検査物をベルトコンベアー上に載置して、前記被検査物に光を照射することにより検査を行う検査装置に用いるベルト（１）において、前記ベルト（１）が蓄光材（２）により発光する様になしたものであって、予め蓄光した前記蓄光材（２）により発光する光を前記被検査物に光を照射することにより検査を行うことを特徴とするベルト。
【請求項２】
前記蓄光材（２）を含有するゴム状弾性材製の発光層（３）が、ベルト本体（４）の前記被検査物が載置される側に存在することを特徴とする請求項１記載のベルト。
【請求項３】
前記発光層（３）及び前記ベルト本体（４）が共にポリウレタン材であることを特徴とする請求項２記載のベルト。
【請求項４】
前記発光層（３）のゴム硬度が、前記ベルト本体（４）の硬度と等しいか前記ベルト本体（４）の硬度よりも低いことを特徴とする請求項２または３記載のベルト。
【請求項５】
前記発光層（３）と前記ベルト本体（４）とが、成形時に一体化することを特徴とする請求項２〜４のいずれか一項に記載のベルト。
【請求項６】
前記発光層（３）と前記ベルト本体（４）とを、別体に成形した後、一体化することを特徴とする請求項２〜４のいずれか一項に記載のベルト。
【請求項７】
前記発光層（３）に前記ベルト（１）の移動方向と平行な溝（３１）を設けたことを特徴とする請求項２〜６のいずれか一項に記載のベルト。
【請求項８】
前記ベルト（１）が芯線（１１）を有するベルトであることを特徴とする請求項１〜７のいずれか一項に記載のベルト。
【請求項９】
前記ベルト（１）が芯線（１１）を有する平ベルトであることを特徴とする請求項１〜７のいずれか一項に記載のベルト。
【発明の詳細な説明】
【技術分野】
【０００１】
本発明は、ベルトに関する。
また、本発明は、被検査物に光を照射することにより検査を行う検査装置に用いるベルトに関する。
【背景技術】
【０００２】
従来、被検査物に光を照射することにより検査を行う検査装置に用いるベルトとしては、特開２００５−３００２８１号公報に記載の透明ベルトが知られている。
しかし、従来の、被検査物に光を照射することにより検査を行う検査装置に用いる透明ベルトは、ベルト背面をベースと同等硬度、もしくは、それより低硬度ポリウレタン材でフラッットにした、または、ベースとなるベルト背面部より上部に突出した形状にて形成されたポリウレタン材を、ベースとなるポリウレタン製ベルトの背面と一体的に成形、あるいは、接着剤にて貼り付けする方法が取られている。
【０００３】
また、フラットパネルディスプレー等の検査装置においては、半透明色搬送用ベルトの上に製品を置いた状態のまま、ベルトの下側から照明を当て、その透過光にて製品の割れ・欠け等の不具合が無いか検査する方法が取られている。
【０００４】
この種検査装置においては、ベルトの下側から光を透過させるため、ベルト内に設けられた芯体がどうしても光を妨げてしまうという問題がある。
さらに、検査装置としては照明設備を組み込んだ装置が必要となり、非常にコストが高いものとなっている。
【０００５】
【特許文献１】特開２００５−３００２８１号公報
【発明の開示】
【発明が解決しようとする課題】
【０００６】
本発明は、このような課題に鑑みてなされたものであり、ベルトの下側から光を透過させるための照明設備を組み込む必要のない、被検査物に光を照射することにより検査を行う検査装置に用いるベルトを提供することである。
【課題を解決するための手段】
【０００７】
本発明のベルトは、被検査物をベルトコンベアー上に載置して、前記被検査物に光を照射することにより検査を行う検査装置に用いるベルトにおいて、前記ベルトが蓄光材により発光する様になしたものであって、予め蓄光した前記蓄光材により発光する光を前記被検査物に光を照射することにより検査を行うことを特徴とする
【発明の効果】
【０００８】
本発明は、以下に記載されるような効果を奏する。
請求項１記載の発明のベルトによれば、ベルトの下側から光を透過させるための照明設備を組み込む必要のないベルトとすることが出来る。
また、請求項２記載の発明のベルトによれば、被検査物に効率的に光を照射することが出来る。
【０００９】
更に、請求項３記載の発明のベルトによれば、耐久性が良好なベルトとすることが出来る。
更に、請求項４記載の発明のベルトによれば、被検査物を安定して載置することが出来る。
【００１０】
更に、請求項５記載の発明のベルトによれば、接着剤を使用することなく、発光層とベルト本体とを強固に一体化することが出来る。
更に、請求項６記載の発明のベルトによれば、発光層の蓄光材含量の調整を容易に行うことが出来る。
【００１１】
更に、請求項７記載の発明のベルトによれば、被検査物を安定して載置することが出来る。
更に、請求項８記載の発明のベルトによれば、ベルトの駆動を精度良く行うことが出来る。
更に、請求項９記載の発明のベルトによれば、各種の装置に対応することが出来る。
【発明を実施するための最良の形態】
【００１２】
以下、本発明を実施するための最良の形態について説明する。
図１乃至図３に基づき、発明を実施するための一例について説明する。
図１は本発明に係るベルトの部分断面図である。
図２は本発明に係る他の実施例を示すベルトの部分断面図である。
図３は図２のA-A断面図である。
【００１３】
図１において、本発明に係るベルトは、被検査物をベルトコンベアー上に載置して、被検査物に光を照射することにより検査を行う検査装置に用いるベルト１において、ベルト１が蓄光材２により発光する構成となっている。
すなわち、蓄光材２を含有するゴム状弾性材製の発光層３が、ベルト本体４の被検査物が載置される側（図上上方）に存在する構成としている。
【００１４】
発光層３は、ゴム状弾性材に蓄光材を混合して成形したものである。
ここで使用される蓄光材は、平均粒径が５０〜２５０μｍのものが好ましく、特に１００μｍ以上の高輝度仕様であることが望ましい。
また、使用されるゴム状弾性材には、ウレタン系弾性材、ポリエステル系弾性材、シリコーン弾性材、アクリル弾性材等が適宜選択して用いられるが、無黄変透明ポリウレタンが特に好ましい。
【００１５】
また、ベルト本体４は、発光層３に用いられる材料と同様のゴム状弾性材が用いられ、特に、無黄変透明ポリウレタンが好ましい。
更に、発光層３のゴム硬度は、ベルト本体４の硬度と等しいか、ベルト本体４の硬度よりも低いことが好ましく、具体的には、硬度がJIS  A  ６０〜８８の低硬度ポリウレタンが使用される。
【００１６】
また、発光層３とベルト本体４とは、成形時に一体化してもよく、発光層３とベルト本体４とを、別体に成形した後、接着剤等で一体化してもよい。
尚、図１に示す実施例では、ベルト本体４を歯付ベルトとしたが、図２に示す様に、平ベルトであってもよい。
更に、発光層３には、ベルト１の移動方向と平行な溝３１を設けている。
また、ベルト本体４には、芯線１１が埋設されている。この芯線としては、スチール線、ステンレス線、アラミド線、グラスファイバー等が適宜選択して用いられる。
【００１７】
尚、上記実施例は何れも、搬送物の載っていない箇所において、ベルト背面の蓄光材入り発光層３に工場内の蛍光灯照明、もしくは、太陽光による紫外線があたることで発光する方式としたが、充分な蓄光が行えない（蓄光不足の）場合は、発光搬送物の載らない箇所に別途、簡易な照明（蛍光灯や青色、もしくは、白色のＬＥＤ照明、等）を追加しても良い。
【００１８】
この様に、本発明によれば、ベルトの下側から光を透過させるための照明設備を組み込む必要もなく、ベルト内に設けられた芯体による悪影響もなく、発光層３から発する光により、被検査物に光を照射することにより検査を行うことが出来る。
【００１９】
また、本発明は上述の発明を実施するための最良の形態に限らず本発明の要旨を逸脱することなくその他種々の構成を採り得ることはもちろんである。
【図面の簡単な説明】
【００２０】
【図１】本発明に係るベルトの部分断面図である。
【図２】本発明に係る他の実施例を示すベルトの部分断面図である。
【図３】図２のA-A断面図である。
【符号の説明】
【００２１】
１      ベルト
２      蓄光剤
３      発光層
４      ベルト本体
１１    芯線
３１    溝
【図１】
0005131584.tif 000002
【図２】
0005131584.tif 000003
【図３】
0005131584.tif 000004